(57)【要約】【課題】本発明は、簡易な構成で、レーザーポインタの機能を、汎用性を持たせた上で、拡張することを目的としている。【解決手段】本発明は、上記課題を解決するため、レーザー光源と、レーザ光出力を制御するレーザポインタ制御回路と、このレーザポインタ制御回路に接続される電源と、前記レーザー光源、レーザポインタ制御回路、及び電源を内臓するケース体と、このケース体に設けられた前記電源の充電用入力端子と、外部機器に前記電源の電力を供給するための出力端子と、充放電制御回路とを有することを特徴としている。【選択図】図１
2009186947.tif 000002
【特許請求の範囲】
【請求項１】
レーザー光源と、レーザ光出力を制御するレーザポインタ制御回路と、このレーザポインタ制御回路に接続される電源と、前記レーザー光源、レーザポインタ制御回路、及び電源を内臓するケース体と、このケース体に設けられた前記電源の充電用入力端子と、外部機器に前記電源の電力を供給するための出力端子と、充放電制御回路とを有することを特徴とするレーザポインタ。
【請求項２】
前記入力端子及び出力端子は、ＵＳＢ端子を用いていることを特徴とする請求項１項記載のレーザポインタ。
【請求項３】
前記電源は、充放電可能なバッテリと電気二重層コンデンサとで構成されることを特徴とする請求項１項記載のレーザポインタ。
【発明の詳細な説明】
【技術分野】
【０００１】本発明は、レーザポインタ、特に多機能なレーザポインタに関する。
【背景技術】
【０００２】従来、レーザポインタは、プロジェクタなどで投影した映像の所定箇所を指し示してプレゼンテーションを行うために用いられている。
従来のレーザポインタは、レーザ光を点、或いは円、直線形状にして照射するだけの機能しか有していない。【０００３】特許文献１には、プロジェクタ装置によって充電可能なレーザポインタが開示されている。また、リモコンとレーザポインタを一体構成することが開示されている。
また、特許文献２には、電池自体にレーザポインタの機能を付加する技術が開示されている。【０００４】
【特許文献１】特開２００８−３１３９号
【特許文献２】特開２０００−１６４１８０号
【発明の開示】
【発明が解決しようとする課題】
【０００５】上記特許文献１、２では、レーザポインタの機能を拡張する技術を開示しているが、これらは汎用性に乏しい技術である。
例えば、特許文献１に開示されたものは、プロジェクタに附属した機能であって、他の機器についてこのレーザポインタを利用することはできない。
特許文献２に開示されたものは、電池自体にレーザポインタを組み込んでしまっているため、電池を機器に組み込んで本来の機能を発揮させた状態では、もはやレーザポインタとして利用することはできない。
また、機器に組み込んだ状態でレーザポインタを利用する場合は、レーザポインタとしては、極めて大型機器となってしまい、長時間のプレゼンテーションに用いることは困難である。【０００６】本発明は、簡易な構成で、レーザーポインタの機能を損なうことなく、汎用性を持たせた上で、機能を拡張することを目的としている。
【課題を解決するための手段】
【０００７】前記目的を達成するため、本発明に係るレーザポインタはレーザー光源と、レーザ光出力を制御するレーザポインタ制御回路と、このレーザポインタ制御回路に接続される電源と、前記レーザー光源、レーザポインタ制御回路、及び電源を内臓するケース体と、このケース体に設けられた前記電源の充電用入力端子と、外部機器に前記電源の電力を供給するための出力端子と、充放電制御回路とを有することを特徴とするものである。
【発明の効果】
【０００８】本発明によれば、レーザポインタにおいて、本来のレーザ光出力という機能を損なうことなく、他の機器の充電装置として機能させることを可能とする効果を有する。
【発明を実施するための最良の形態】
【０００９】以下、本発明を実施するための最良の形態について、図面を参照して詳細に説明する。
【実施例】
【００１０】以下、図に沿って本発明の一実施例を説明する。
図１（１）は本発明の一実施例を示す上面図、（２）は正面図、（３）は側面図である。
１は樹脂材で形成された本体ケース、２は半導体レーザーを用いた光源を駆動するスイッチ、３は充電用の入力端子６を保護する保護カバー、４は出力光の状態を示すインジケータ、５はレーザ光出力用の投射レンズ、６は図示しない電源を外部機器によって充電するための入力端子、７は他の機器に電力を供給するための出力端子である。
電源充電用の入力端子６及び出力端子７は、ユニバーサルシリアルバス（ＵＳＢ）端子が用いられており、例えば入力端子６を図示しないパソコンに接続すると図示しない電源が充電される。
インジケータ４は、電源の状態を表示するものであり、スイッチ２をオンした場合、電源電圧が基準値以内で十分な充電状態では緑色の発光ダイオードが点灯し、電源電圧が基準値以下の場合は、赤色の発光ダイオードが点灯する。【００１１】図４に、本実施例装置の回路構成を示すブロック図を示す。
２０はレーザ光源であり、赤色、或いは緑色の光を発する半導体レーザダイオードが用いられている。
尚、レーザダイオード２０からは、直径約２ｍｍのレーザ光が投射レンズを介して出力される。
２１はレーザ光の出力を一定化するために、レーザ光を受光する半導体受光素子である。
２２はレーザポインタ制御回路であり、受光素子２１から出力される電流を電圧に変換し、この電圧が一定となるようにレーザダイオード２０を制御する。
また、電源２４の電圧を検出して、出力インジケータ４を制御する。
２３は、レーザダイオード２０を駆動するトランジスタである。
２４は、充放電可能なリチウムイオン電池からなる電源である。
２５は、電源２４に外部から充電し、或いは、図示しない外部機器、及びレーザポインタ制御回路２２に電力を供給するための充放電制御回路である。【００１２】４は、先に図１で示した出力インジケータであり、レーザポインタ制御回路２２によって電源電圧が基準値以内であることが検出された場合、緑色の発光ダイオードが点灯し、電源電圧が基準値以下であることが検出されたら、赤色の発光ダイオードが点灯するように制御される。
６、及び７は、先に図１で示した端子であり、６は電源２４を充電するための入力端子、７は外部機器に電源２４の電力を供給するための出力端子である。【００１３】上述のレーザポインタは、通常はレーザポインタとして動作するが、例えば、図２に示すように、緊急の場合などに、クレードル３１に携帯電話を配置し、このクレードル３１とレーザポインタの出力端子を接続コードを介して接続することにより、レーザポインタの電源を用いて、携帯電話を充電することが可能である。
或いは、図示しないが、充電用コネクタを介してレーザポインタと携帯電話を接続して、携帯電話を充電することが可能である。【００１４】また、図３に示すように、ＵＳＢソケット４１に他のレーザポインタの入力端子を接続し、このＵＳＢソケット４１とレーザポインタの出力端子を接続コード３２を介して接続することにより、レーザポインタの電源を用いて、他のレーザポインタ４４を充電することが可能である。【００１５】上述の実施例装置では、電源２４を充放電可能なバッテリで構成しているが、図５に示すように、バッテリ２６と電気二重層コンデンサ２７で構成してもよい。
電気二重層コンデンサ２７は、バッテリ２６に比べ、低抵抗であり、急速充電が可能であるため、パソコンなどに接続して充電する場合、秒単位での充電が可能となる。
このため、例えば、レーザーポインタを用いてプレゼンテーションしている時に、急に、インジケータによって電力が減少したことを知った場合であっても、直ぐに充電することが可能となり、プレゼンテーションを中断する必要がないという利点がある。
この実施例装置の場合は、外部機器への電力の供給は、バッテリ２４が使用される。【００１６】本発明は、上述の実施例に限定されるものではなく、例えば、本体ケースや回路構成は異なるものであってもよい。
また、入出力端子は、ＵＳＢ端子以外であってもよい。
また、レーザポインタと外部機器を直接接続して充電してもよいし、非接触で充放電する回路を付加してもよい。
【産業上の利用可能性】
【００１７】本発明は、レーザポインタの機能を拡張し、外部機器の充電器として動作させることが可能であり、レーザポインタの本来の機能を損なうことなく、用途が拡大するものである。
【図面の簡単な説明】
【００１８】
【図１】図１（１）、（２）、及び（３）は、夫々、本発明の実施例装置の形態に係る構成を示す上面図、正面図、及び側面図である。
【図２】図２は、本発明の実施例装置を、携帯電話の充電装置として用いた状態を示す図。
【図３】図３は、本発明の実施例装置を、他のレーザポインタのの充電装置として用いた状態を示す図。
【図４】図４は、本発明の実施例装置の回路構成を示すブロック図である。
【図５】図５は、本発明の第２の実施例装置の回路構成を示すブロック図である。
【符号の説明】
【００１９】１：本体ケース
２：レーザ光源
６：充電用入力端子
７：出力端子
２０：レーザダイオード
２２：レーザポインタ制御回路
２５：充放電制御回路
【図１】
2009186947.tif 000003
【図２】
2009186947.tif 000004
【図３】
2009186947.tif 000005
【図４】
2009186947.tif 000006
【図５】
2009186947.tif 000007